(57)【要約】      （修正有）【課題】色の組み合わせや彩色の方法に加えて、さらに自らの手によって輪郭線を含めた絵の全体を描く楽しみを達成することができ、しかも絵はがきとして使用することができるシートを有した塗り絵形絵はがきセットを提供する。【解決手段】本２として一端部を綴じられた複数の台紙２０の各ページにおいて、輪郭線のみが太線、中線及び細線で描かれた塗り絵が印刷されたシート２２と、輪郭線が点線で描かれた下絵が印刷されたシート２３と、塗り絵に着色されたカラー絵が印刷されたシート２１とが剥ぎ取り可能に貼着され、台紙の右下部には下絵の描き方と塗り絵への彩色の方法が指導書２４として記載されている。シート２１、シート２２及びシート２３の各裏面は、はがきの宛名書き面となっている。【選択図】図２
0003118502.tif 000002
【実用新案登録請求の範囲】
【請求項１】
絵の輪郭線のみが描かれた塗り絵が印刷されたシートと、
該塗り絵に着色されたカラー絵が印刷されたシートと、
一方の面に該輪郭線が該塗り絵よりも薄く描かれた下絵が印刷され、他方の面がはがきの宛名書き面となっているシートとを有することを特徴とする塗り絵型絵はがきセット。
【請求項２】
該下絵における該輪郭線が点線で描かれたことを特徴とする請求項１記載の塗り絵型絵はがきセット。
【請求項３】
該塗り絵における該輪郭線が太線、中線及び細線で描かれていることを特徴とする請求項１又は２記載の塗り絵型絵はがきセット。
【請求項４】
該塗り絵が印刷されたシートの裏面がはがきの宛名書き面となっていることを特徴とする請求項１から３のいずれかに記載された塗り絵型絵はがきセット。
【請求項５】
該カラー絵が印刷されたシートの裏面がはがきの宛名書き面となっていることを特徴とする請求項１から４のいずれかに記載された塗り絵型絵はがきセット。
【請求項６】
該下絵を該塗り絵にするための描き方と該カラー絵を参考に該塗り絵に彩色する方法とを記載した指導書をさらに有することを特徴とする、請求項１から５のいずれかに記載された塗り絵型絵はがきセット。
【請求項７】
該塗り絵と該カラー絵と該下絵とが取りはがし自在に貼着された台紙が複数枚綴じられて形成された本を有することを特徴とする、請求項１から６のいずれかに記載された塗り絵型絵はがきセット。
【請求項８】
該塗り絵と該カラー絵と該下絵とが取り外し自在なように切り取り線が形成された台紙が複数枚綴じられて形成された本を有することを特徴とする、請求項１から６のいずれかに記載された塗り絵型絵はがきセット。
【考案の詳細な説明】
【技術分野】
【０００１】
本考案は、絵はがきとして使用可能な塗り絵形絵はがきセットに関する。
【背景技術】
【０００２】
従来、専ら児童遊具とされてきた塗り絵は、近年、幅広い年齢層において色の組み合わせや彩色の方法によって様々な楽しみ方ができることが認識され始めている。
【０００３】
そこで、下記特許文献１には、一般的に知られた絵柄又は著名な絵画若しくは漫画の一場面が薄く印刷された塗り絵用シートが開示されている。このような塗り絵であれば、児童のみならず、幅広い年齢層にあっても多様な絵柄について塗り絵を楽しむことができる。
【０００４】
しかしながら、塗り絵を専らそれ自体の娯楽としてのみに使用したのでは、自らが完成させた該塗り絵の作品を他人に観賞してもらう等他の興じ方によって楽しむことが困難である。
【０００５】
そこで、下記特許文献２には、塗り絵用の下絵を印刷したカードと、塗り絵に関する内容を解説した小冊子を一組のセットにした小冊子つきカードセットが開示されている。このような該カードセットにおいては、下絵を印刷した該カードがポストカードとなっていれば、塗り絵を楽しみながら手紙を書くことができ、手軽に自らの作品を他人に鑑賞してもらうことができる。
【０００６】
しかしながら、下絵に既に輪郭線が描かれている塗り絵においては、使用者は色の組み合わせや彩色の方法についてのみしか、創作に興じることができない。
【特許文献１】登録実用新案第３１１２９７０号公報
【特許文献２】登録実用新案第３０１４２４３号公報
【考案の開示】
【考案が解決しようとする課題】
【０００７】
本考案の目的は、このような問題点に鑑み、色の組み合わせや彩色の方法に加えて、さらに自らの手によって輪郭線を含めた絵の全体を描く楽しみを達成することができ、しかも絵はがきとして使用することができるシートを有した塗り絵形絵はがきセットを提供することにある。
【課題を解決するための手段】
【０００８】
本考案の第１態様を説明すれば、
絵の輪郭線のみが描かれた塗り絵が印刷されたシートと、
該塗り絵に着色されたカラー絵が印刷されたシートと、
一方の面に該輪郭線が該塗り絵よりも薄く描かれた下絵が印刷され、他方の面がはがきの宛名書き面となっているシートとを有している塗り絵形絵はがきセットとなっている。
【０００９】
本考案の第２態様を説明すれば、
該下絵における該輪郭線が点線で描かれている、上記第１態様に記載された塗り絵形絵はがきセットとなっている。
【００１０】
本考案の第３態様を説明すれば、
該塗り絵における該輪郭線が太線、中線及び細線で描かれている、上記第１態様又は第２態様に記載された塗り絵形絵はがきセットとなっている。
【００１１】
本考案の第４態様を説明すれば、
該塗り絵が印刷されたシートの裏面がはがきの宛名書き面となっている、上記第１態様から第３態様のいずれかに記載された塗り絵形絵はがきセットとなっている。
【００１２】
本考案の第５態様を説明すれば、
該カラー絵が印刷されたシートの裏面がはがきの宛名書き面となっている、上記第１態様から第４態様のいずれかに記載された塗り絵形絵はがきセットとなっている。
【００１３】
本考案の第６態様を説明すれば、
該下絵を該塗り絵にするための描き方と該カラー絵を参考に該塗り絵に彩色する描き方とを記載した指導書をさらに有している、上記第１態様から第５態様のいずれかに記載された塗り絵形絵はがきセットとなっている。
【００１４】
本考案の第７態様を説明すれば、
該塗り絵と該カラー絵と該下絵とが取りはがし自在に粘着された台紙が複数枚綴じられて形成された本を有している、上記第１態様から第６態様のいずれかに記載された塗り絵形絵はがきセットとなっている。
【００１５】
本考案の第８態様を説明すれば、
該塗り絵と該カラー絵と該下絵とが取り外し自在なように切り目が形成された台紙が複数枚綴じられて形成された本を有している、上記第１態様から第６態様のいずれかに記載された塗り絵形絵はがきセットとなっている。
【考案の効果】
【００１６】
上記第１態様及び第２態様の構成によれば、該下絵の輪郭線をペンでトレースし、さらに彩色を施すことによって、自らの手によって輪郭線を含めた絵の全体を描く楽しみを達成することができ、さらに裏面の宛名書き面に記入をすることによって、該下絵が印刷された該シートを絵はがきとして使用することができる。
【００１７】
上記第３態様の構成によれば、太線、中線及び細線で描かれた該輪郭線によって遠近感を意識しながら該塗り絵に彩色することができる。
【００１８】
上記第４態様の構成によれば、下絵をペンでトレースすることなく、塗り絵が印刷された裏面の宛名書き面に記入をすることによって、該塗り絵が印刷された該シートを絵はがきとして使用することができる。
【００１９】
上記第５態様の構成によれば、下絵をペンでトレースしたり、塗り絵に彩色をすることなく、カラー絵が印刷された裏面の宛名書き面に記入をすることによって、該カラー絵が印刷された該シートを絵はがきとして使用することができる。
【００２０】
上記第６態様の構成によれば、指導書を参考としながら、該下絵の輪郭線をペンでトレースして該塗り絵にし、さらに、該塗り絵に彩色を施すことができる。
【００２１】
上記第７態様の構成によれば、該塗り絵、該下絵及び該カラー絵が印刷された該シート複数枚を綴じた一つの本とすることができ、さらに、該シートを該台紙から取り剥がして絵はがきとして使用することができる。
【００２２】
上記第８態様の構成によれば、該塗り絵、該下絵及び該カラー絵が印刷された該シート複数枚を綴じた一つの本とすることができ、さらに、該シートを該台紙から取り外して絵はがきとして使用することができる。
【００２３】
以下、図面を参照して本考案の実施例を説明する。
【実施例１】
【００２４】
図１に示すように、輪郭線のみが太線、中線及び細線で描かれた塗り絵が印刷されたシート１２と、該輪郭線が点線で描かれた下絵が印刷されたシート１３と、該塗り絵に着色されたカラー絵が印刷されたシート１１が袋１に同封されている。
【００２５】
また、袋１の外面には下絵の描き方と塗り絵への彩色の方法が記載された指導書１４が印刷されている。
【００２６】
さらに、シート１１、シート１２及びシート１３の各裏面は、図３に示されるように、はがきの宛名書き面３０となっている。
【００２７】
したがって、使用者は指導書１４を読み、塗り絵が印刷されたシート１２を参照しながら下絵が印刷されたシート１３に輪郭線を描き、さらにカラー絵が印刷されたシート１１を参照しながら彩色を行うことができる。
【００２８】
また、塗り絵が印刷されたシート１２についても、使用者は指導書１４を読み、カラー絵が印刷されたシート１１を参照しながら彩色を行うことができる。
【００２９】
このようにして完成させたシート１２及び１３並びにカラー絵が印刷されているシート１１については、これらを台紙２０から取り剥がし、裏面に印刷された宛名書き面３０に住所等を記入することによって、絵はがきとして使用することができる。
【実施例２】
【００３０】
図２に示すように、本２として一端部を綴じられた複数の台紙２０の各ページにおいて、輪郭線のみが太線、中線及び細線で描かれた塗り絵が印刷されたシート２２と、該輪郭線が点線で描かれた下絵が印刷されたシート２３と、該塗り絵に着色されたカラー絵が印刷されたシート２１とが貼着されており、また、該台紙の右下部には下絵の描き方と塗り絵への彩色の方法が指導書２４として記載されている。
【００３１】
また、このシート２１、シート２２及びシート２３の各裏面は、図３に示されるように、はがきの宛名書き面３０となっている。
【００３２】
したがって、使用者は指導書２４を読み、塗り絵が印刷されたシート２２を参照しながら下絵が印刷されたシート２３に輪郭線を描き、さらにカラー絵が印刷されたシート２１を参照しながら彩色を行うことができる。
【００３３】
また、塗り絵が印刷されたシート２２についても、使用者は指導書２４を読み、カラー絵が印刷されたシート２１を参照しながら彩色を行うことができる。
【００３４】
このようにして完成させたシート２２及び２３並びにカラー絵が印刷されているシート２１については、これらを台紙２０から取り剥がし、裏面に印刷された宛名書き面３０に住所等を記入することによって、絵はがきとして使用することができる。
【実施例３】
【００３５】
図４に示すように、本４として一端部を綴じられた複数の台紙４０の各ページにおいて、輪郭線のみが太線、中線及び細線で描かれた塗り絵が印刷されたシート４２と、シート４１に印刷された塗り絵よりも該輪郭線が薄く描かれた下絵が印刷されたシート４３と、該塗り絵に着色されたカラー絵が印刷されたシート４１とが台紙４０と一体になっており、シートの周囲には切り目４１１が形成されている。
【００３６】
また、該台紙の右下部には下絵の描き方と塗り絵への彩色の方法が指導書４４として記載されている。
【００３７】
また、このシート４１、シート４２及びシート４３の各裏面は、はがきの宛名書き面５０となっている。
【００３８】
したがって、使用者は指導書４４を読み、塗り絵が印刷されたシート４２を参照しながら下絵が印刷されたシート４３に輪郭線を描き、さらにカラー絵が印刷されたシート４１を参照しながら彩色を行うことができる。
【００３９】
また、塗り絵が印刷されたシート４２についても、使用者は指導書４４を読み、カラー絵が印刷されたシート４１を参照しながら彩色を行うことができる。
【００４０】
このようにして完成させたシート４２及び４３並びにカラー絵が印刷されているシート４１については、これらを台紙４０から切り目に沿って取り外し、裏面に印刷された宛名書き面５０に住所等を記入することによって、そのまま絵はがきとして使用することができる。
【００４１】
なお、本考案には他にも種々の変形例が含まれる。
【００４２】
たとえば、上記塗り絵の遠景、中景及び近景の輪郭線が太線、中線及び細線でそれぞれ使い分けて描かれているものを含む。
【００４３】
また、絵のテーマは、たとえば「四季の花」、「季節の野菜」、「四季の旅行」、「子供の頃の思い出」、「童謡の世界」、「子供の頃の遊び」、「田舎の風景」、「テレビと紙芝居」、「日本の名所」、「世界旅行」、「漫画イラスト」及び「季節の祭事や行事」であってもよい。
【００４４】
さらに、正月、クリスマス、バレンタイン、イースター、誕生祝、出産祝、新居祝、入学祝又は入社祝といった、様々な行事に関して該塗り絵形絵はがきセットを絵はがきとして使用することができる。
【図面の簡単な説明】
【００４５】
【図１】本考案の実施例１の、袋に封入された塗り絵形絵はがきセットの正面図である。
【図２】本考案の実施例２の、本の台紙に各シートが粘着された塗り絵形絵はがきセットの斜視図である。
【図３】本考案の実施例１及び２の、各シートの裏面に印刷されたはがきの宛名書き面の正面図である。
【図４】本考案の実施例３の、本の台紙と各シートが切り目を境として一体となった塗り絵形絵はがきセットの斜視図である。
【符号の説明】
【００４６】
１  袋
２、４  本
２０、４０  台紙
１１、２１、４１  カラー絵が印刷されたシート
１２、２２、４２  塗り絵が印刷されたシート
１３、２３、４３  下絵が印刷されたシート
１４、２４、４４  指導書
３０、５０  宛名書き面
４１１  切り目
【図１】
0003118502.tif 000003
【図２】
0003118502.tif 000004
【図３】
0003118502.tif 000005
【図４】
0003118502.tif 000006